(57)【特許請求の範囲】
【請求項１】
フレキシブルケーブルを含む板状部が差し込まれる差込部と、
前記板状部が前記差込部に差し込まれた状態で、前記板状部に設けられた係止部を内部に露出させる凹部と、
前記凹部に配置され、前記凹部の内部に露出した前記係止部に係入して、前記板状部を保持する固定部品と
を備え、
前記凹部は、前記差込部と交差する方向に前記差込部を貫通して設けられ、
前記固定部品は、前記板状部の前記係止部に係入される保持部を有し、
前記保持部は、前記差込部を貫通する前後の前記凹部に亘って配置され、前記凹部の内部に露出した前記係止部の差込方向の前方の面と面接触するように形成されることを特徴とするコネクタ装置。
【請求項２】
前記保持部は、前記差込部を貫通する前後の前記凹部に亘って延びる平面部と、前記平面部の端部から前記差込方向と反対側に湾曲して延びる曲面部とを含み、
前記保持部が前記係止部に係入されたとき、前記平面部及び前記曲面部が前記係止部と接触することを特徴とする請求項１に記載のコネクタ装置。
【請求項３】
前記固定部品は、
前記曲面部の端部から前記凹部の外側へ延びて前記凹部から突出した部分を押圧することにより前記固定部品を撓ませるアーム部を備え、
前記保持部は、前記アーム部が前記固定部品を撓ませることにより、前記係止部に係入出可能であること
を特徴とする請求項２に記載のコネクタ装置。
【請求項４】
複数の前記凹部と、
前記複数の凹部にそれぞれ圧入される複数の前記固定部品と、
前記複数の固定部品の前記アーム部を接続する接続部とを備え、
前記接続部を押圧することにより、前記複数の固定部品が略同一方向に撓み、前記保持部が前記係止部に略同時に係入出可能であることを特徴とする請求項３に記載のコネクタ装置。
【請求項５】
前記係止部は、穴部及び切欠部の少なくとも１つであって、
前記係止部が前記穴部である場合は、前記保持部が、前記穴部を貫通して、前記板状部を保持し、
前記係止部が前記切欠部である場合は、前記保持部が、前記切欠部に係合して、前記板状部を保持することを特徴とする請求項１乃至３のいずれかに記載のコネクタ装置。
【発明の詳細な説明】
【技術分野】
【０００１】
本発明は、フレキシブルケーブルを端子部に装着するコネクタ装置に関し、特に、フレキシブル印刷配線基板（ＦＰＣ）やフレキシブル平板状ケーブル（ＦＦＣ）などの板状部が端子部に電気的に接続された状態を保持するコネクタ装置に関する。
【背景技術】
【０００２】
従来のコネクタ装置は、図１１〜図１４に示すように、板状部材差込み部（Ａ）が設けられるとともに複数のコンタクトが配列配置されたハウジング（Ｂ）と、ハウジングに配された実装用補強金具（Ｃ）とを備え、実装用補強金具に設けられたロック部（Ｄ）が板状部材差込み部を通じてハウジングに差し込まれたフレキシブル平板状ケーブル（Ｅ）を係止したもとで、ハウジングに一体的に設けられたロック解除部（Ｆ）の一端部（Ｇ）にハウジング内に向かう方向の押圧力が加えられるとき、ロック解除部が移動して、その他端部がロック部にフレキシブル平板状ケーブルに対する係止を解除させる（例えば、特許文献１）。
【先行技術文献】
【特許文献】
【０００３】
【特許文献１】特開２０１１−１１９１６２号公報
【発明の概要】
【発明が解決しようとする課題】
【０００４】
従来のコネクタ装置では、ハウジング、実装用補強金具（ロック部を含む）、及びロック解除部などの部品から構成され、部品点数が多く、これらを組み立てるアッセンブリ工数も多い。また、実装用補強金具がロック部と一体的に形成されるため、複雑な形状となり、実装用補強金具を成形するプレス金型も複雑なものとなる。さらに、従来のコネクタ装置では、フレキシブル平板状ケーブルが、ロック部のせん断面に保持されるため、傷付いたり切断したりする危険性がある。
【０００５】
本発明の目的は、簡易な構成によりフレキシブルケーブルの保持及び解除を容易に行うことができ、フレキシブルケーブルを傷付けにくいコネクタ装置を提供することである。
【課題を解決するための手段】
【０００６】
本発明のコネクタ装置は、フレキシブルケーブルを含む板状部が差し込まれる差込部と、前記板状部が前記差込部に差し込まれた状態で、前記板状部に設けられた係止部を内部に露出させる凹部と、前記凹部に配置され、前記凹部の内部に露出した前記係止部に係入して、前記板状部を保持する固定部品とを備え、前記凹部は、前記差込部と交差する方向に前記差込部を貫通して設けられ、前記固定部品は、前記板状部の前記係止部に係入される保持部を有し、前記保持部は、前記差込部を貫通する前後の前記凹部に亘って配置され、前記凹部の内部に露出した前記係止部の差込方向の前方の面と面接触するように形成される。この場合において、前記保持部は、前記差込部を貫通する前後の前記凹部に亘って延びる平面部と、前記平面部の端部から前記差込方向と反対側に湾曲して延びる曲面部とを含み、前記保持部が前記係止部に係入されたとき、前記平面部及び前記曲面部が前記係止部と接触することが好ましい。
【０００７】
この構成によれば、基板固定部品が凹部に配置されることで、板状部の係止部に係入して、面接触で板状部を保持するので、簡易な構成によりフレキシブルケーブルの保持及び解除を容易に行うことができ、フレキシブルケーブルを傷付けにくいコネクタ装置を提供することである。
【０００８】
本発明のコネクタ装置では、前記固定部品は、前記曲面部の端部から前記凹部の外側へ延びて前記凹部から突出した部分を押圧することにより前記固定部品を撓ませるアーム部を備え、前記保持部は、前記アーム部が前記固定部品を撓ませることにより、前記係止部に係入出可能であることが好ましい。
【０００９】
この構成によれば、アーム部を押圧して、基板固定部品を撓ませることで、保持部が係止部に係入出可能となるので、簡易な構成によりフレキシブルケーブルの保持及び解除を容易に行うことができる。
【００１０】
本発明のコネクタ装置は、複数の前記凹部と、前記複数の凹部にそれぞれ圧入される複数の前記基板固定部品と、前記複数の基板固定部品の前記アーム部を接続する接続部とを備え、前記接続部に印圧することにより、前記複数の基板固定部品が略同一方向に撓み、前記保持部が前記係止部に略同時に係入出可能である。
【００１１】
この構成によれば、複数のアーム部が接続され、接続部に印圧することで、複数の保持部が略同時に係止部に係入出可能となるので、簡易な構成によりフレキシブルケーブルの保持及び解除を容易に行うことができる。
【００１２】
本発明のコネクタ装置では、前記係止部は、穴部及び切欠部の少なくとも１つであって、前記係止部が前記穴部である場合は、前記保持部が、前記穴部に貫通して、前記板状部を保持し、前記係止部が前記切欠部である場合は、前記保持部が、前記切欠部に係合して、前記板状部を保持する。
【００１３】
この構成によれば、係止部の様々な形状及び構造が許容されるので、簡易な構成によりフレキシブルケーブルの保持及び解除を容易に行うことができ、フレキシブルケーブルを傷付けにくいコネクタ装置を提供することができる。
【発明の効果】
【００１４】
本発明は、簡易な構成によりフレキシブルケーブルの保持及び解除を容易に行うことができ、フレキシブルケーブルを傷付けにくいコネクタ装置を提供する。
【図面の簡単な説明】
【００１５】
【図１】本実施の形態のコネクタ装置の一例を含む図である。
【図２】本実施の形態のコネクタ装置の構成を示した図である。
【図３】基板固定部品の拡大図である。
【図４】図１の線Ｂ−Ｂの断面図を矢印方向から見た図であり、フラットケーブルが差込部に差し込まれていない状態で、ハウジングに圧入された基板固定部品を示した図である。
【図５】図１の線Ｂ−Ｂの断面図を矢印方向から見た図であり、フラットケーブルが差込部に差し込まれた状態で、ハウジングに圧入された基板固定部品を示した図である。
【図６】保持部が穴部（係止部）に係入出する状態を示した図である。
【図７】基板固定部品が凹部に圧入された状態のハウジングを示した斜視図である。
【図８】図７の一部を拡大し、主要な構成部を示した図である。
【図９】複数の凹部に圧入された複数の基板固定部品が接続部で接続されていることを示した図である。
【図１０】複数の基板固定部品が接続部と一体的に形成され、複数の凹部から分離している状態を示した図である。
【図１１】係止部が切欠部であることを示した図である。
【図１２】従来のコネクタ装置のハウジングを示した図である。
【図１３】従来のコネクタ装置の実装用補助（補強）金具を示した図である。
【図１４】従来のコネクタ装置のロック時における実装用補助（補強）金具の構造を示した図である。
【図１５】従来のコネクタ装置のロック解除時における実装用補助（補強）金具の構造を示した図である。
【発明を実施するための形態】
【００１６】
以下、本発明の実施の形態のコネクタ装置について、図面を用いて説明する。図１は、本実施の形態のコネクタ装置の一例を含む図である。図１に示すように、ＰＣＢコネクタ（コネクタ装置）１は、ハウジング２及び基板固定部品３を含む。基板固定部品３は、ハウジング２に配置（圧入）される。なお、配置には、圧入が含まれる。
【００１７】
図２は、本実施の形態のコネクタ装置の構成を示した図である。図２に示すように、フラットケーブル（フレキシブルケーブル）６を含む板状部１６が、ＰＣＢコネクタ１の差込部５に差し込まれる。板状部１６は、穴部（係止部）１１を備える。ハウジング２は凹部１３を備え、基板固定部品３が凹部１３に配置（圧入）される。ＰＣＢコネクタ（コネクタ装置）１は、端子４を内部に備える。端子４は、ハウジング２の内部に装着され、差込部５に差し込まれたフラットケーブル（フレキシブルケーブル）６とコンタクト（接触部）を介して電気的に接続されて導通する。
【００１８】
図３は、基板固定部品３の拡大図である。基板固定部品３は、保持部７、アーム部８、固定部９、圧入部１０、及び平面部１２を備える。図４は、図１の線Ｂ−Ｂの断面図を矢印方向から見た図であり、フラットケーブル６が差込部５に差し込まれていない状態で、ハウジング２に圧入された基板固定部品３を示した図である。
【００１９】
基板固定部品３のアーム部８は、ハウジング２の凹部１３の第１の側面（凹部側面部）２３に圧接する。アーム部８のアーム突出部１８が、凹部から突出し、突出した部分を押圧することにより基板固定部品を撓ませる。
【００２０】
差込部５は、凹部１３の第１の側面２３と第２の側面３３に設けられる。保持部７は、アーム部８が基板固定部品３を撓ませることにより、凹部１３の側面２３，３３に設けられた差込部５を貫通するように、凹部１３に配置（圧入）される。図４に示すように、保持部７の一部は、凹部１３に配置（圧入）された状態で、凹部１３の第２の側面（凹部側面部）３３に圧接する。基板固定部品３の撓みによる反力で、アーム部８が第1の側面２３に圧接され、保持部７が第２の側面３３に圧接される。このように、基板固定部品３は、凹部１３に配置（圧入）された状態で、凹部１３の第1の側面２３及び第２の側面３３を付勢することで、凹部１３内に係止される。平面部１２が平面凹部２２に固定されている場合は、第1の側面２３及び第２の側面３３を付勢する必要はない。
【００２１】
図３に示すように、平面部１２は、保持部７と圧入部１０を接続し、保持部７、アーム部８、固定部９、及び圧入部１０とともに一体に形成されている。図４に示すように、平面部１２は、凹部１３に配置（圧入）された状態で、ハウジング２の平面凹部２２に接し、保持部７と反対側の端部を平面凹部２２の第３の側面（凹部側面部）４３に圧接させる。平面部１２の端部が平面凹部２２の角部（第３の側面４３）に圧接することにより、基板固定部品３を撓ませるときの反力を得られる。平面部１２が平面凹部２２に固定されている場合は、平面部１２の端部が平面凹部２２の角部（第３の側面４３）に圧接する必要はない。
【００２２】
ここで、ハウジング２は、凹部１３と平面凹部２２とを備える。凹部１３は、平面凹部２２内に設けられ、平面凹部２２よりも深度が深い。平面凹部２２は、凹部１３に設けられた差込部５よりも深度が浅い位置に位置する。本実施の形態では、凹部１３と平面凹部２２は階段状に設けられている。基板固定部品３は、凹部１３に配置（圧入）された状態で、第1の側面２３、第２の側面３３、及び第３の側面４３を付勢することで、凹部１３内に係止される。この場合、基板固定部品３は、第２の側面３３及び第３の側面４３の少なくとも１つと第1の側面２３とを付勢すればよい。平面部１２が平面凹部２２に固定されている場合は、側面２３，３３，３４を付勢する必要はない。
【００２３】
また、本実施の形態では、保持部７と平面部１２の接合部が角部になっており、この接合部が、凹部１３と平面凹部２２の接合部（角部）に係止される。
【００２４】
図５は、図１の線Ｂ−Ｂの断面図を矢印方向から見た図であり、フラットケーブル６が差込部５に差し込まれた状態で、ハウジング２に配置（圧入）された基板固定部品３を示した図である。板状部１６が差込部５に差し込まれた状態で、板状部１６に設けられた穴部（係止部）１１が凹部１３の内部に露出する。板状部１６が凹部１３の第２の側面３３に挿入され、第２の側面３３の終端に達した状態で、穴部（係止部）１１が凹部１３の内部に露出するように、第２の側面３３に設けられた差込部５の長さが設定される。
【００２５】
基板固定部品３は、凹部１３に配置（圧入）され、凹部１３の内部に露出した穴部（係止部）１１に係入（貫通）して、板状部１６を保持する。この場合、アーム部８が基板固定部品３を撓ませることにより、保持部７が穴部（係止部）１１に係入出可能となる。
【００２６】
図６は、保持部７が穴部（係止部）１１に係入出する状態を示した図である。図６に示すように、アーム部８が、凹部１３から突出し、突出した部分（アーム突出部１８）を押圧することにより基板固定部品３を撓ませる。アーム突出部１８が、差込部５と略平行に押圧されると、平面部１２の端部が平面凹部２２の角部（第３の側面４３）に圧接し、平面部１２が平面凹部２２に圧接し、保持部７と平面部１２の接合部が支点となって、基板固定部品３が押圧方向に撓む。
【００２７】
ここで、保持部７は、曲面部と平面部とを備える。保持部７の曲面部は、アーム部８と接合され、一体的に形成されている。保持部７の平面部は、平面部１２と略直角に接合され、一体的に形成されている。保持部７の曲面部は、アーム突出部１８が押圧されると、第１の側面２３を滑動し、又は第１の側面２３から離脱し、保持部７の平面部が第２の側面３３から離脱するように基板固定部品３を撓ませる。このように、保持部７の平面部が第２の側面３３から離脱することで、保持部７が持ち上がり、保持部７が凹部１３又は穴部（係止部）１１に係入出可能となる。保持部７は、穴部（係止部）１１に係入出可能となることで、差込部５に差し込まれたフラットケーブル（フレキシブルケーブル）６と端子４との電気的接続を保持したり、電気的接続を解除したりする。本実施の形態によれば、簡易な構成によりフラットケーブル（フレキシブルケーブル）６の保持及び解除を容易に行うことができる。
【００２８】
図７は、基板固定部品３が凹部１３に圧入された状態のハウジング２を示した斜視図である。図３に示すように、平面部１２は、Ｌ字型に形成され、保持部７と圧入部１０が略直角に位置するように、保持部７と圧入部１０を接続する。圧入部１０は、突起状に形成され、図７に示す溝部５０に圧入（挿入）されることで、基板固定部品３を係止する。また、図３に示すように、圧入部１０は、圧入（挿入）方向に向かって幅が小さくなるような三角形状の突起部を含み、この突起部が溝部５０に圧接して、基板固定部品３を係止する。
【００２９】
図３に示すように、固定部９は、圧入部１０と略直角に接合され、一体的に形成されている。図７に示すように、基板固定部品３が凹部１３に圧入された状態で、固定部９は、ハウジング２の底面に露出し、ハウジング２の底面に設けられる基板（図示せず）に固定される。この結果、ＰＣＢコネクタ（コネクタ装置）１が、基板に固定される。
【００３０】
図７に示すように、アーム部８が押圧されると、基板固定部品３が押圧方向に撓み、保持部７が持ち上がる。この結果、保持部７が穴部（係止部）１１から係出し、板状部１６の保持が解除され、板状部１６が差込部５から引き抜かれることを可能とする。
【００３１】
図８は、図７の一部を拡大し、主要な構成部を示した図である。図８に示すように、基板固定部品３は、穴部（係止部）１１が凹部１３の内部に露出した状態で、穴部（係止部）１１に係入し、保持部７の曲面部及び平面部が穴部（係止部）１１に接して板状部１６を保持するので、保持部７がフラットケーブルに面接触し、フラットケーブル（フレキシブルケーブル）６を傷つけにくい。
【００３２】
以上、本発明にかかる実施の形態について説明したが、本発明はこれらに限定されるものではなく、請求項に記載された範囲内において変更・変形することが可能である。
【００３３】
例えば、図９及び図１０に示すように、ハウジング２の両側に、凹部１３及び基板固定部品３などが対称的に設けられてもよい。これらの構造は、本実施の形態と同様である。この場合、ＰＣＢコネクタ（コネクタ装置）１は、複数の凹部１３と、複数の凹部１３にそれぞれ圧入される複数の基板固定部品３と、複数の基板固定部品３のアーム部８を接続する接続部２８とを備える。接続部２８は、ハウジング２の両側に圧入される基板固定部品３のアーム部８を接続し、複数の基板固定部品３が一体的に形成される。接続部２８は、アーム部８の押圧方向に略直角に延伸して、アーム部８を接続する。接続部２８に印圧（押圧）することにより、複数の基板固定部品３が略同一方向（押圧方向）に撓み、保持部７が板状部１６の穴部（係止部）１１に略同時に係入出可能となる。例えば、接続部２８を上方向に持ち上げると、複数の保持部７が略同時に持ち上がり、保持部７が凹部１３又は穴部（係止部）１１に略同時に係入出可能となる。この結果、基板固定部品３が複数ある場合に、それぞれを押圧しなくても、接続部２８を印圧（押圧）することで、複数の基板固定部品３が略同時に凹部１３に着脱可能となる。
【００３４】
また、図１１に示すように、フラットケーブル（フレキシブルケーブル）６を含む板状部１６は、穴部１１の代わりに、切欠部（係止部）２１を備えてもよい。係止部が穴部１１である場合は、保持部７が、穴部１１に貫通して、板状部１６を保持し、係止部が切欠部２１である場合は、保持部７が、切欠部２１に係合して、板状部１６を保持する。この他にも、係止部は、基板固定部品３の保持部７が凹部１３に着脱して、板状部１６を係止するものであれば、様々な形状や構造が考えられる。
【産業上の利用可能性】
【００３５】
本発明に係るコネクタ装置は、基板固定部品が凹部に圧入されることで、板状部の係止部に係入して、面接触で板状部を保持するので、簡易な構成によりフレキシブルケーブルの保持及び解除を容易に行うことができ、フレキシブルケーブルを傷付けにくくすることができ、フレキシブルケーブルを端子部に装着するコネクタ装置などとして有用である。
【符号の説明】
【００３６】
１  ＰＣＢコネクタ
２  ハウジング
３  基板固定部品
４  端子
５  差込部
６  フラットケーブル（フレキシブルケーブル）
７  保持部
８  アーム部
９  固定部
１０  圧入部
１１  穴部
１２  平面部
１３  凹部
１６  板状部
１８  アーム突出部
２１  切欠部
２２  平面凹部
２８  接続部
５０  溝部
【図１】
0005959282.tif 000002
【図２】
0005959282.tif 000003
【図３】
0005959282.tif 000004
【図４】
0005959282.tif 000005
【図５】
0005959282.tif 000006
【図６】
0005959282.tif 000007
【図７】
0005959282.tif 000008
【図８】
0005959282.tif 000009
【図９】
0005959282.tif 000010
【図１０】
0005959282.tif 000011
【図１１】
0005959282.tif 000012
【図１２】
0005959282.tif 000013
【図１３】
0005959282.tif 000014
【図１４】
0005959282.tif 000015
【図１５】
0005959282.tif 000016